(57)【要約】【課題】簡単な構造で袖やズボン等の長手方向の長さを、容易に正確に調整することが可能な調整具付き衣服を提供する。【解決手段】衣服である上着１２の生地を貫通した透孔２４と、上着１２の内側に沿って設けられた紐体３４，４０を備える。紐体３４，４０の一端部は、透孔２４から上着１２の外に引き出されて係止され、他端部は透孔２４から離れた端部である袖口３２ａ，３８ａに固定されている。紐体３４，４０の透孔２４から引き出された端部付近には、紐体２４，４０の引き出し長さを確認するマーク３６を備える。【選択図】図１
0003141337.tif 000002
【実用新案登録請求の範囲】
【請求項１】
衣服の生地を貫通した透孔と、前記衣服の内側に沿って設けられた紐体を備え、前記紐体の一端部は、前記透孔から前記衣服の外に引き出されて係止され、他端部は前記透孔から離れた前記衣服の端部に固定され、前記紐体の前記透孔から引き出された端部付近には、前記紐体の引き出し長さを確認するマークが設けられていることを特徴とする調節具付き衣服。
【請求項２】
前記紐体は、前記衣服の所定部位で対称に一対が設けられ、前記一対の紐体の前記マークは、前記紐体の固定された端部からの長さが互いに等しい位置に設けられ、前記マークは前記紐体の長手方向に沿って等間隔に複数個が設けられ、前記紐体の前記透孔から外に引き出された部分には、前記紐体を保持して所定位置に係止する止め具が設けられていることを特徴とする請求項１記載の調整具付き衣服。
【請求項３】
前記紐体は長手方向に交差する断面形状が薄い平紐状であり、前記マークは前記紐体に糸で刺繍して形成されていることを特徴とする請求項１記載の調整具付き衣服。
【請求項４】
前記紐体は、前記衣服の右袖と左袖に各々設けられ、前記透孔は前記衣服の襟の後に設けられ、前記紐体の一端部は前記各袖の袖口に固定され、前記紐体の他方の端部は前記各袖を通過して前記襟の後に設けられた前記透孔から引き出され、前記一対の紐体の前記マークを揃えて絞り量を互いに等しくして係止可能としたことを特徴とする請求項１記載の調節具付き衣服。
【請求項５】
前記紐体は、ズボンの左右の足部に各々設けられ、前記透孔は両足部の付け根付近に一対が設けられ、前記紐体は前記各足部に一対が設けられ、前記各足部の一方の紐体は前記足部の端部の内股側に固定され、他方の紐体は前記足部の端部の外側に固定され、前記一対の紐体の他方の端部は前記足部の付け根に設けられた前記透孔から引き出されたことを特徴とする請求項１記載の調節具付き衣服。
【考案の詳細な説明】
【技術分野】
【０００１】
この考案は、衣服の長さを部分的に短くする機能を有する調整具付き衣服に関する。
【背景技術】
【０００２】
従来、子供用の防寒具などで、袖の長さやズボンの丈を調整する調整具が付いた衣服がある。これは、袖やズボンの長手方向に沿って紐体を挿通し、紐体の一端部は袖やズボンの内側に固定され、他端部は衣服に設けられた透孔を通過して衣服の外側に延出し、延出した部分に、紐体の係止部が取り付けられたものである。このような袖やズボンの長さ方向の調節具の使用方法は、紐体を、裾やズボンが所望の長さとなるように引き出し、引き出された紐体に係止具を固定し、係止具が上記透孔の周縁部に係止され紐体が衣服に戻らないようにする。そして、衣服に挿通されている紐体の長さを変更し、衣服の絞り量を変えて衣服の大きさを部分的に調整することができる。
【特許文献１】特開２００３―２２１７０７号公報
【考案の開示】
【考案が解決しようとする課題】
【０００３】
上記背景技術の場合、着用感を良好とするため袖やズボンの左右の長さを同じに調整した方が良いが、絞り量を左右等しく調整することが困難であった。絞り量を左右等しくするためには、透孔から引き出された紐体の長さや、袖やズボンの長さを左右で比べてほぼ等しくするだけであり、正確ではなかった。
【０００４】
この考案は、上記従来の技術の問題点に鑑みてなされたものであり、簡単な構造で袖やズボン等の長手方向の長さを、容易に正確に調整することが可能な調整具付き衣服を提供することを目的とする。
【課題を解決するための手段】
【０００５】
本考案は、衣服の生地を貫通した透孔と、前記衣服の内側に沿って設けられた紐体を備え、前記紐体の一端部は、前記透孔から前記衣服の外に引き出されて係止され、他端部は前記透孔から離れた前記衣服の端部に固定され、前記紐体の前記透孔から引き出された端部付近には、前記紐体の引き出し長さを確認するマークが設けられている調節具付き衣服である。
【０００６】
前記紐体は、前記衣服の所定部位で対称に一対が設けられ、前記一対の紐体の前記マークは、前記紐体の固定された端部からの長さが互いに等しい位置に設けられ、前記マークは前記紐体の長手方向に沿って等間隔に複数個が設けられ、前記紐体の前記透孔から外に引き出された部分には、前記紐体を保持して所定位置に係止する止め具が設けられているものである。
【０００７】
前記紐体は長手方向に交差する断面形状が薄い平紐状であり、前記マークは前記紐体に糸で刺繍して形成されている。
【０００８】
前記紐体は、前記衣服の右袖と左袖に各々設けられ、前記透孔は前記衣服の襟の後に設けられ、前記紐体の一端部は前記各袖の袖口に固定され、前記紐体の他方の端部は前記各袖を通過して前記襟の後に設けられた前記透孔から引き出され、前記一対の紐体の前記マークを揃えて絞り量を互いに等しくして係止可能としたものである。
【０００９】
また、前記紐体は、ズボンの左右の足部に各々設けられ、前記透孔は両足部の付け根付近に一対が設けられ、前記紐体は前記各足部に一対が設けられ、前記各足部の一方の紐体は前記足部の端部の内股側に固定され、他方の紐体は前記足部の端部の外側に固定され、前記一対の紐体の他方の端部は前記足部の付け根に設けられた前記透孔から引き出されたものである。
【考案の効果】
【００１０】
本考案の調整具付衣服は、簡単な構造で袖やズボン等の長手方向の長さを、容易に正確に調整することが可能であり、着用感が良好なものである。また、長さの調整の目安を正確に把握することができ、操作が簡単で、短時間で左右を揃えることができ、便利である。
【考案を実施するための最良の形態】
【００１１】
以下、この考案の実施形態について図面に基づいて説明する。図１、図２はこの考案の第一実施形態を示すもので、この実施形態の調節具付き衣服１０は、防寒用の上着１２であり、防水性や防風性等を有する表生地と、柔軟な裏生地が縫い合わされて設けられ、表生地と裏生地の間には断熱材が設けられても良い。上着１２は、上半身の前部分を覆う図示しない前身頃と、上半身の後部分を覆う後身頃１４が設けられ、後身頃１４の襟刳り１６にはフード１８が縫い合わされて設けられている。
【００１２】
後身頃１４の襟刳り１６の後中心部分は、フード１８との間が縫い残されて開口部２０が形成されている。後身頃１４の内側である表生地と裏生地の間には、開口部２０に連通する内ポケット２２が設けられ、内ポケット２２には、後述する紐体３４，４０を後身頃１４の内側から内ポケット２２の中へ引き出す一対の透孔２４が形成されている。開口部２０の、フード１８側の開口縁には、矩形のフラップ２６が設けられている。フラップ２６は、後身頃１４側へ倒したときに開口部２０を閉鎖するものであり、後身頃１４側の面に一方の面ファスナー２８が設けられている。後身頃１４には、フラップ２６を後身頃１４に倒したときに面ファスナー２８が当接する位置に、面ファスナー２８に着脱可能に係合する他方の面ファスナー３０が設けられている。
【００１３】
後身頃１４には、右肩から右手首までを覆う右袖３２が設けられている。右袖３２の内側、つまり表生地と裏生地の間には、紐体３４が設けられている。紐体３４の一方の端部３４ａは袖口３２ａ近傍に固定され、紐体３４の他方の端部３４ｂは、右袖３２の表生地と裏生地の間を通過して肩に達し、後身頃１４の表生地と裏生地の間を通過して、内ポケット２２の一方の透孔２４に挿通され、内ポケット２２へ引き出されている。
【００１４】
紐体３４は、柔らかい適宜の生地を細長くカットして長手方向に沿って二つ折りにして縫い合わせた帯状に形成されている。紐体３４の端部３４ｂ付近には、紐体３４の長手方向に沿って等間隔にマーク３６が設けられている。マーク３６は、紐体３４の長手方向にほぼ直交する直線で形成され、紐体３４の生地と異なる色の糸をジグザグミシンなどで刺繍して設けられている。マーク３６は、ここでは約５ｃｍの間隔で４個設けられている。
【００１５】
後身頃１４には、右袖３２と同様に左肩から左手首までを覆う左袖３８が設けられている。左袖３８の内側である表生地と裏生地の間にも、紐体４０が設けられている。紐体４０の一方の端部４０ａは袖口３８ａ近傍に固定され、紐体４０の他方の端部４０ｂは、左袖３８の表生地と裏生地の間を通過して肩に達し、後身頃１４の表生地と裏生地の間を通過して、内ポケット２２の他方の透孔２４に挿通され、内ポケット２２へ引き出されている。
【００１６】
紐体４０は、紐体３４と同様に生地を細長くカットして長手方向に沿って二つ折りにして縫い合わせた帯状であり、紐体４０の端部４０ｂ付近には、紐体４０の長手方向に沿って等間隔にマーク３６が設けられている。マーク３６は、約５ｃｍの間隔で４個設けられている。紐体４０の４個のマーク３６の、端部４０ａからの距離は、紐体３４の４個のマーク３６の、端部３４ａからの距離とほぼ等しい。
【００１７】
次に、この実施形態の調節具付き衣服１０の使用方法について説明する。先ず、調節具付き衣服１０の上着１２を着用し、右手の長さに合わせて紐体３４の端部３４ｂを透孔２４から離れる方向へ引く。これにより、右袖３２が絞られて袖口３２ａが後身頃１４に近くなり、右手の長さに合うように調整される。このとき、紐体３４のマーク３６が何個引き出されるかを数えて絞り量を確認する。次に、左手に沿って設けられている紐体４０の端部４０ｂを透孔２４から離れる方向へ引く。このとき、紐体４０のマーク３６の数を紐体３４と同じ数だけ引き出すと、右袖３２と同じ絞り量となる。なお、初めに左手の長さに合わせて調整しても良い。そして図３に示すように、紐体３４，４０の端部３４ｂ，４０ｂ同士を結んで、再び引き込まれないように係止する。その後、図４に示すように紐体３４，４０の端部３４ｂ，４０ｂ同士を結んだ結び目を内ポケット２２の中に収容し、フラップ２６を後身頃１４に倒し、面ファスナー２８，３０を係止して、開口部２０を閉鎖する。
【００１８】
この実施形態の上着１２によれば、簡単な構造で、左右の袖の長さを互いに等しく調整することが可能である。簡単な操作で短時間で調整することができ、屋外等でも調整することができ、また着用者が変わっても簡単にあわせることができ、便利である。左右の袖を正確に等しくすることができ、着用感が良好である。紐体３４，４０の端部３４ｂ，４０ｂ同士を結んだ結び目は内ポケット２２の中に収容され、フラップ２６で内ポケット２２の開口部２０を閉鎖するため、外観に違和感が無く、紐体３４，４０が他の部材に引っかかることを防ぎ安全である。紐体３４，４０を緩めるときも、マーク３６を合わせて緩めることにより、左右均等に袖口３２ａ，３８ａを伸ばすことができる。
【００１９】
次に、この発明の第二実施形態について図５、図６に基づいて説明する。この実施形態の調節具付き衣服１０は防寒用のズボン４２であり、防水性や防風性等を有する表生地と、柔軟な裏生地が縫い合わされて設けられ、表生地と裏生地の間には断熱材が設けられても良い。ズボン４２は、下半身の前部分を覆う前ズボン４４と、下半身の後部分を覆う図示しない後ズボンが設けられ、ウエスト部分にはベルト部４６が設けられている。
【００２０】
前ズボン４４は、下半身の右側を覆う右足部４４ａと左側を覆う左足部４４ｂが、身体の前中心で縫い合わされて設けられている。右足部４４ａには、ベルト部４６に隣接する部分に、下方に突出するフラップ４８が設けられている。右足部４４ａの、フラップ４８に覆われた部分には、水平方向に長い開口部５０が設けられ、開口部５０には図示しないファスナーが設けられ開閉自在となっている。前ズボン４４の内側、つまり表生地と裏生地の間には、開口部５０に連通する内ポケット５２が設けられ、内ポケット５２には、後述する紐体５６，５８を前ズボン４４の内側から内ポケット５２の中へ引き出す透孔５４が形成されている。
【００２１】
右足部４４ａの内側には、一対の紐体５６，５８が設けられている。紐体５６の一方の端部５６ａは、右足部４４ａのふくらはぎ付近の内股側に固定され、紐体５６の他方の端部５６ｂは、上方に引き上げられて内ポケット５２の透孔５４に挿通され内ポケット５２へ引き出されている。紐体５８の一方の端部５８ａは、右足部４４ａのふくらはぎ付近の外側に固定され、紐体５８の他方の端部５８ｂは、上方に引き上げられて紐体５６と同様に内ポケット５２の透孔５４に挿通され内ポケット５２へ引き出されている。
【００２２】
紐体５６，５８は、生地を細長くカットして長手方向に沿って二つ折りにして縫い合わせた帯状である。紐体５６，５８の端部５６ｂ，５８ｂ付近には、紐体５６，５８の長手方向に沿って等間隔にマーク６０が設けられている。マーク６０は、紐体４０の長手方向にほぼ直交する直線で形成され、紐体３４の生地と異なる色の糸をジグザグミシンなどで刺繍して設けられている。紐体５６，５８のマーク６０は、端部５６ａ，５８ａからの距離が互いにほぼ等しい位置に設けられている。マーク６０は、ここでは約５ｃｍの間隔で４個設けられている。紐体５６，５８の、透孔５４から内ポケット５２に引き出された部分に、透孔５４より大きい止め具６２が係止され、紐体５６，５８が挿通されて、解除可能に固定し、透孔５４に再び引き込まれることを防いでいる。
【００２３】
前ズボン４４の、下半身の左側を覆う左足部４４ｂにも、右足部４４ａと同様に、ベルト部４６に隣接する部分にフラップ６４と開口部６６が設けられ、開口部６６に連通する内ポケット６８と、後述する紐体７２，７４を前ズボン４４の内側から内ポケット６８へ引き出す透孔７０が形成されている。
【００２４】
左足部４４ｂの内側にも、一対の紐体７２，７４が設けられている。紐体７２の一方の端部７２ａは、左足部４４ｂのふくらはぎ付近の内股側に固定され、内ポケット６８の透孔７０に挿通され内ポケット６８へ引き出されている。紐体７４の一方の端部７４ａは、左足部４４ｂのふくらはぎ付近の外側に固定され、内ポケット６８の透孔７０に挿通され内ポケット６８へ引き出されている。
【００２５】
紐体７２，７４は、生地で作られた帯状であり、端部７２ｂ，７４ｂ付近にはマーク７６が設けられている。紐体７２，７４のマーク７６は、端部７２ａ，７４ａからの距離が互いにほぼ等しい位置に４個設けられている。紐体７２，７４には、止め具７８が係止されている。マーク７６の端部７２ａ，７４ａからの距離は、紐体５６，５８のマーク６０の端部５６ａ，５８ａからの距離とほぼ等しい。
【００２６】
次に、この実施形態の調節具付き衣服１０の使用方法について説明する。まず、調節具付き衣服１０のズボン４２を着用し、右足の長さに合わせて紐体５６，５８の端部５６ｂ，５８ｂを透孔５４から離れる方向へ引く。このとき紐体５６，５８のマーク６０の数を互いに同じとすると、右足部４４ａの内股側と外側の絞り量が同じ状態で、右足の長さに合うように調整される。図６に示すように、止め具６２の固定を解除し透孔５４近傍に移動し、再び引き込まれないように固定する。
【００２７】
次に、左足に沿って設けられている紐体７２，７４の端部７２ｂ，７４ｂを、右足部４４ａと同様に透孔７０から離れる方向へ引く。このとき紐体７２，７４のマーク７６の数を互いに同じとすると、左足部４４ｂの内股側と外側の絞り量が同じになる。また、紐体７２，７４のマーク７６の数を、紐体５６，５８のマーク６０の数と合わせると、右足部４４ａと左足部４４ｂの長さがほぼ等しくなる。引き延ばされた紐体５６，５８，７２，７４の端部５６ｂ，５８ｂ，７２ｂ，７４ｂは内ポケット５２，６８の中に収容し、フラップ４８，６４で開口部５０，６６を閉鎖する。
【００２８】
この実施形態のズボン４２によれば、簡単な構造で、裾の長さを内股側と外側で等しくし、さらに右足部４４ａと左足部４４ｂで等しく調整することが可能である。簡単な操作により短時間で調整が可能である。内股側と外側で長さが等しく、また左右の裾の長さも等しく調整されるため、着用感が良好である。内ポケット５２，６８は、小物を入れることもできる。紐体５６，５８，７２，７４の端部５６ｂ，５８ｂ，７２ｂ，７４ｂと止め具６２，７８は内ポケット５２，６８の中に収容され、フラップ４８，６４で内ポケット２２の開口部５０，６６を閉鎖するため、外観に違和感が無く、紐体５６，５８，７２，７４が他の部材に引っかかることを防ぎ安全である。紐体５６，５８，７２，７４を緩めるときも、マーク６０，７６を合わせて緩めることにより、左右均等に裾を伸ばすことができる。
【００２９】
なお、この考案の調節具付き衣服は、上記各実施形態に限定されるものではなく、マークの形状や取付方法、間隔や個数は自由に変更可能であり、塗料を塗布したり、紐体の織り模様を利用しても良く、各紐体を互いに合わせ易いものであればよい。マークは目盛りを設けたものでも良い。また、紐体は帯状以外でも良く、絞ったり緩めたりする操作がし易いものであれば良い。また上着とズボン以外にいろいろな衣服に使用することができ、衣服の長さを調節する部分は、袖や裾に限定されず、肩紐や身頃等いろいろな部分に利用することができる。
【図面の簡単な説明】
【００３０】
【図１】この考案の第一実施形態の調節具付き衣服の上着の背面図である。
【図２】この実施形態の調節具付き衣服の上着の袖の長さを絞った状態を示す背面図である。
【図３】この実施形態の上着の襟刳りのフラップが開いた状態を示す背面図である。
【図４】この実施形態の上着の襟刳りのフラップが閉じた状態を示す背面図である。
【図５】この考案の第二実施形態の調節具付き衣服ズボンの正面図である。
【図６】この実施形態のズボンの足部の長さを絞った状態を示す正面図である。
【符号の説明】
【００３１】
１０  調節具付き衣服
１２  上着
１４  後身頃
１６  襟刳り
２０  開口部
２２  内ポケット
２４  透孔
２６  フラップ
３２  右袖
３２ａ，３８ａ  袖口
３４，４０  紐体
３６  マーク
３８  左袖
【図１】
0003141337.tif 000003
【図２】
0003141337.tif 000004
【図３】
0003141337.tif 000005
【図４】
0003141337.tif 000006
【図５】
0003141337.tif 000007
【図６】
0003141337.tif 000008